(57)【要約】【課題】複数の記録層を備える光記録媒体の光入射方向からみて奥側の記録層の記録品質を向上する。【解決手段】レーザーの照射方向に積層された複数の記録層３，４を有し、記録層３側から照射したレーザーの強度の変化により照射部分の記録膜６，９の光学的特性を変化させて情報を記録する光記録媒体１の記録方法において、各記録層３，４を記録する毎に光学的特性に関する記録条件であるレーザーの反射率の変化の情報や、温度によるレーザーの波長の変化の情報を収集し、得られた記録条件に関する情報を、残りの記録層３，４を記録する際の記録条件に反映させる。【選択図】図１
2007242206.tif 000002
【特許請求の範囲】
【請求項１】
レーザーの照射方向に積層された複数の記録層を有し、該記録層の一面側から照射したレーザーの強度の変化により前記記録層の照射部分の光学的特性を変化させて情報を記録する光記録媒体の記録方法において、
各記録層を記録する毎に光学的特性に関する記録条件を収集し、得られた記録条件に関する情報を、残りの未記録層を記録する際の記録条件に反映させることを特徴とする光記録媒体の記録方法。
【請求項２】
請求項１に記載の光記録媒体の記録方法において、
各記録層を記録する順番を、レーザーの照射方向の手前側の記録層から奥側の記録層へとしたことを特徴とする光記録媒体の記録方法。
【請求項３】
請求項１または２に記載の光記録媒体の記録方法において、
前記光学的特性に関する記録条件として、レーザーの反射率の変化または／および温度によるレーザーの波長の変化としたことを特徴とする光記録媒体の記録方法。
【請求項４】
レーザー光源と、複数の記録層を有する光記録媒体を保持する保持手段と、前記レーザー光源と前記保持手段との間に設けられて前記光記録媒体上のレーザー照射位置を順次移動する走査手段とを備えた光記録装置において、
前記レーザー光源からのレーザーが照射された光記録媒体の各記録層の照射部分の光学的特性に関する記録条件の情報を収集する記録条件情報収集手段と、
該記録条件情報収集手段により収集された記録条件情報を前記レーザー光源からのレーザー照射に反映させる記録条件情報反映手段と、
を備えたことを特徴とする光記録装置。
【発明の詳細な説明】
【技術分野】
【０００１】
本発明は、多層構造の記録層を備えた光記録媒体の記録方法およびその記録方法を用いた光記録装置に関する。
【背景技術】
【０００２】
従来、記録型ＤＶＤとして、追記型ＤＶＤであるＤＶＤ＋Ｒや、書換え型ＤＶＤであるＤＶＤ＋ＲＷなどがあり、これらのＤＶＤは片面１層の再生専用ＤＶＤと高い再生互換性を持つ記録型ＤＶＤである。このような記録型ディスクは、年々高速化、大容量化の傾向にある。これら記録型ＤＶＤの記録容量を更に大容量化するための１つの手段として、１枚の媒体に記録層を複数、例えば２層（ダブルレイヤ）設けることが行われている。この場合、２つの記録層を片面から記録・再生ができるようにすることが利便性の上で望まれている。
【０００３】
この積層された複数の記録層を有する光記録媒体においては、光入射面に対して厚さ方向奥側に配されている記録層への記録再生光は手前側の記録層を経てなされている。そのため、記録光の強度の変化により記録層の光学的特性を変化させる光記録媒体においては、手前側の記録層と奥側の記録層とでは、記録光の波形条件、強度条件が異なることになる。また、複数の記録層へ順次記録を行う場合、記録情報の記録中に発生した熱などにより記録光の波形条件、強度条件は記録開始時から変動していく。そのため積層された複数の記録層を有する光記録媒体においては、単層の記録層を持つ光記録媒体とは異なる波形条件、強度条件が必要になる。
【０００４】
一般的には、記録層が一層である光記録媒体、例えばＣＤ−Ｒ、ＤＶＤ±ＲやＣＤ−ＲＷ、ＤＶＤ±ＲＷを、全面に渡って光記録装置で記録すると、記録開始時と記録終了時との間に、光記録装置は温度差にして５℃から１５℃の温度が上昇することが知られている。また、光記録装置に用いられるＬＤ波長の温度依存性は＋０．２〜０．５ｎｍ/℃程度である。以上のことを考慮すると光記録媒体の記録層を一層記録した直後では、記録前の波長に比べ、＋１〜７．５ｎｍ程度変化すると推定できる。また、記録波長が長くなると、光記録の感度の悪化がおこる。つまり、記録パワー、記録ストラテジは変化させず、波長が長いものと短いものとで記録層に形成される記録マーク長を比べると、波長が長いものは波長が短いものに比べて記録マークは小さく形成されることになる。
【０００５】
また、光記録媒体の記録特性は、基板の板厚、記録層・反射層などの膜厚や、複屈折、加えて複数の記録層を有する光記録媒体では接着層厚に依存しており、生産条件により、媒体の記録特性内外差が生じてしまう。特に、光入射面に対して奥側に配されている記録層への記録再生光は手前の記録層を経ているため、奥側に配されている記録層の記録特性は悪化する傾向にある。そこで、従来は、奥側の記録条件の悪い記録層も手前側の層と同等な記録条件で記録するため、特許文献１に記載の「光記録媒体及び情報記録方法」が提案されている。これは、各記録層毎に異なる記録条件に関する情報を、予め、各記録層毎にプリフォーマットしておき、記録時に、それを各記録層毎に認識することにより、その記録層に最適な条件で記録するようにしたものである。
【特許文献１】特開２００４−３１１０２７号公報
【発明の開示】
【発明が解決しようとする課題】
【０００６】
しかしながら、上述した特許文献１の従来技術においては、複数の記録層へ順次記録を行う場合、記録情報の記録中に発生した熱などにより発生する記録光の波形条件の変動や強度条件の変動は考慮されていない。そのため、奥側の記録層の記録特性は、半径方向での均一性が低下する傾向にあった。このように、複数の記録層を有する光記録媒体の光入射面に対して奥側に配置されている記録層の記録特性は、記録中に発生した熱などによる記録光の波形条件、強度条件の変動や、記録特性面内ばらつきに起因して、必ずしも最適な記録条件で全記録面を記録できない問題があった。そこで、本発明は、複数の記録層を備える光記録媒体の光入射方向からみて奥側の記録層の記録品質を向上させることが可能な光記録媒体の記録方法およびその記録方法を用いた光記録装置の提供を目的とする。
【課題を解決するための手段】
【０００７】
上記課題を解決するために、請求項１の発明の光記録媒体の記録方法は、レーザーの照射方向に積層された複数の記録層を有し、該記録層の一面側から照射したレーザーの強度の変化により前記記録層の照射部分の光学的特性を変化させて情報を記録する光記録媒体の記録方法において、各記録層を記録する毎に光学的特性に関する記録条件を収集し、得られた記録条件に関する情報を、残りの未記録層を記録する際の記録条件に反映させることを特徴とする。
【０００８】
請求項２の発明の光記録媒体の記録方法は、請求項１の光記録媒体の記録方法において、各記録層を記録する順番を、レーザーの照射方向の手前側の記録層から奥側の記録層へとしたことを特徴とする。
【０００９】
請求項３の発明の光記録媒体の記録方法は、請求項１または２の光記録媒体の記録方法において、前記光学的特性に関する記録条件として、レーザーの反射率の変化または／および温度によるレーザーの波長の変化としたことを特徴とする。
【００１０】
請求項４の発明の光記録装置は、レーザー光源と、複数の記録層を有する光記録媒体を保持する保持手段と、前記レーザー光源と前記保持手段との間に設けられて前記光記録媒体上のレーザー照射位置を順次移動する走査手段とを備えた光記録装置において、前記レーザー光源からのレーザーが照射された光記録媒体の各記録層の照射部分の光学的特性に関する記録条件の情報を収集する記録条件情報収集手段と、該記録条件情報収集手段により収集された記録条件情報を前記レーザー光源からのレーザー照射に反映させる記録条件情報反映手段とを備えたことを特徴とする。
【発明の効果】
【００１１】
以上述べたように請求項１の発明の光記録媒体記録方法によれば、レーザーの照射方向に積層された複数の記録層を有し、該記録層の一面側から照射したレーザーの強度の変化により前記記録層の照射部分の光学的特性を変化させて情報を記録する光記録媒体の記録方法において、各記録層を記録する毎に光学的特性に関する記録条件を収集し、得られた記録条件に関する情報を、残りの未記録層を記録する際の記録条件に反映させることにより、残りの未記録層を記録する際の記録条件を向上させることが可能となる。
【００１２】
請求項２の発明の光記録媒体記録方法によれば、各記録層を記録する順番を、レーザーの照射方向の手前側の記録層から奥側の記録層へとしたことで、従来低下していた奥側の記録層の記録特性を向上させることが可能となる。
【００１３】
請求項３の発明の光記録媒体記録方法によれば、光学的特性に関する記録条件として、レーザーの反射率の変化または／および温度によるレーザーの波長の変化としたことで、従来低下していた奥側の記録層の記録特性を向上させることが可能となる。
【００１４】
請求項４の発明の光記録装置によれば、レーザー光源と、複数の記録層を有する光記録媒体を保持する保持手段と、前記レーザー光源と前記保持手段との間に設けられて前記光記録媒体上のレーザー照射位置を順次移動する走査手段とを備えた光記録装置において、前記レーザー光源からのレーザーが照射された光記録媒体の各記録層の照射部分の光学的特性に関する記録条件の情報を収集する記録条件情報収集手段と、該記録条件情報収集手段により収集された記録条件情報を前記レーザー光源からのレーザー照射に反映させる記録条件情報反映手段とを備えたことで、後で記録される記録層の記録特性を向上させることが可能となる。
【発明を実施するための最良の形態】
【００１５】
以下、図に基づいて本発明の実施形態を説明する。本実施形態では、記録再生光の入射方向に対して複数の記録層が積層された多層構造の光記録媒体を適用対象とする。図１は、本実施形態で用いる光記録媒体１の断面構造図であり、例えば、記録再生光が一つの記録面側からのみ入射する片面２層型の例であって、透明基板２、第１記録層３、第２記録層４、透明基板５を順次積層させてなる。第１記録層３は、透明基板２上に形成された記録膜６と反射膜７との積層構造からなり、第２記録層４は透明基板５上に形成された反射膜８と記録膜９との積層構造よりなり、これらを接着膜１０で一体化してなる。さらに、反射膜７，８上には、記録光案内用のトラックとなる案内溝（又は、誘導ピット＝プリピット）５１，５２が形成されている。
【００１６】
次に、各層の詳細について以下に述べる。まず、記録膜６，９には記録光の入射による熱的及び又は光学的な影響により物理的形状又は光学的性質が変化する材料であるものが望ましい。例えば、ＤＶＤ＋Ｒ規格に準ずる追記型用片側２層の光記録媒体１の場合であれば、有機色素材料の場合、アゾ系色素、シアニン系色素、フタロシアニン系色素、ピリリウム系色素、アズレニウム系色素、スクワリリウム系色素、Ｎｉ，Ｃｒ等の金属錯塩系色素、ナフトキノン系、アントラキノン系色素インドフェノール系色素、インドアニリン系色素、トリフェニルメタン系色素、トリアリルメタン系色素、アミニウム系、ジインモニウム系色素及びニトロゾ化合物、ホルマザン金属キレートを挙げることができる。中でも、特に耐光性に優れるアゾ系色素、スクワリリウム系色素、ホルマザン金属キレートが望ましい。
【００１７】
さらに必要に応じ、他の第３成分、例えばバインダー、安定剤等を含有させることができる。形成方法は有機色素を溶媒に展開しスピンコートにより塗布する方法、真空中でスパッタリングにより成膜させる方法がある。記録膜６，９の膜厚は通常３００Åから５０００Å、好ましくは７００Åから２０００Åとするのが望ましい。スピンコート法を用いた場合、残留溶媒を除去するために高温でアニールを行う方が望ましい。アニールする温度は通常８０℃から１１０℃が好適である。さらに、１００℃近辺がより好適である。アニール時間は１５分から３０分が好適である。
【００１８】
上記の有機材料の他、原子配列を変化し情報の記録ができるＤＶＤ＋ＲＷ規格に準ずる書換え型用片側２層の光記録媒体１の場合であれば、相変化材料も使用可能である。この場合、記録膜６，９とは、相変化材料の膜及び相変化材料の熱を保持するための断熱保護膜を含めるものとする。具体的にはＡ−Ｂ−Ｃ−Ｇｅ−Ｔｅで代表される合金である。ここでＡは、Ｃｕ、Ａｇ、Ａｕ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ｐｄ、Ｈｆ、Ｔａ、Ｗ、Ｉｒ、Ｐｔ、Ｈｇ、Ｂ、Ｃ、Ｎ、Ｐ、Ｏ、Ｓ、Ｓｅ、ランタニド元素、アクチニド元素、アルカリ土類金属元素、不活性ガス元素、などのうち少なくとも１つの元素を表す。Ｂは、Ｔｌ、Ｉなどハロゲン元素、及びＮａなどのアルカリ金属元素のうち少なくとも１つの元素を表す。
【００１９】
Ｃは、Ｓｂ、ＳＮ、Ａｓ、Ｐｂ、Ｂｉ、Ｚｎ、Ｃｄ、Ｓｉ、Ａｌ、Ｇａ及びＩｎのうち少なくとも１つの元素を表す。また、光磁気材料に使用される金属材料、例えば上記金属元素のＴｂ、Ｆｅ、Ｃｏなども記録膜６，９として使用可能である。保護膜は、同一或いは個別の材料により構成される。各々の材料として、ＳｉＯ、ＳｉＯ2、ＺｎＯ、ＳＮＯ2、Ａｌ2Ｏ3、ＴｉＯ2、Ｉｎ2Ｏ3、ＭｇＯ、ＺｒＯ2などの酸化物、Ｓｉ3Ｎ4、ＡｌＮ、ＴｉＮ、ＢＮ、ＺｒＮなどの窒化物、ＺｎＳ、Ｉｎ2Ｓ3、ＴａＳ4などの硫化物、ＳｉＣ、ＴａＣ、Ｂ4Ｃ、ＷＣ、ＴｉＣ、ＺｒＣなどの炭化物又はダイヤモンド状炭素、或いはこれらの２種以上の混合物が用いられる。また、成形方法としては、スパッタリング、イオンプレーティング、真空蒸着法、プラズマＣＶＤ法など後用いられる。
【００２０】
反射膜７，８は、例えば、スパッタ法により形成された銀膜が用いられる。この他に反射膜７，８の材料としては、アルミニウム、銀、銅などの金属材料又はこれらを主成分とする合金材料を使用することができる。特に金を主体とする金属又は合金を用いることが好適である。銀を主体とするときは、銀の含有率が８０〜１００原子％、特に９０〜１００％であることが好ましい。また、これらの反射膜７，８の材料のうちでは、安価でありかつコンパクトディスクにおいて使用されて実績が有ることから、アルミニウムを使用することもできる。
【００２１】
金属膜材料として金属材料又は合金材料を用いる場合には、スパッタリングや真空蒸着などの真空成膜方法によって、反射膜７，８を形成することができる。この場合、真空槽内の真空度を変えて（例えば、１０−５ｔｏｒｒ程度）スパッタリングを行い、密度又は結晶化の状態の違う膜を形成して金属反射膜の反射率を高くする技術を適用することもできる。本実施の形態のように、記録再生光の入射方向に対して少なくとも奥に１層以上記録層を有する反射膜７，８では反射光を通すため半透明の反射膜を形成する必要がある。そのための反射膜７，８の厚さとしては３００Å以上１０００Å以下が好適である。
【００２２】
記録膜６，９を形成する土台となる透明基板２，５としては、記録再生光の波長に対して透明である材質が望ましい。例えば、ポリカーボネート、アクリル樹脂、ポリメタクリル酸メチル、ポリスチレン樹脂、塩化ビニル樹脂、エポキシ樹脂などのプラスチック又はガラスが挙げられるが、これらに限定されるものではない。特に成形の容易さ、材質の安価さ、軽量さなどからポリカーボネートやアクリル樹脂が望ましい。１つの対になる記録膜６，反射膜７、記録膜９，反射膜８は記録再生光の入射方向に対して記録膜６，９が手前にならなければいけない。そのため、透明基板２，５に対する記録膜６，９と反射膜７，８の積層順は、入射光が透明基板を経て記録層に達する場合は透明基板２、記録膜６、反射膜７の順に積層させ、入射光が該透明基板を経ずに記録層に達する場合は透明基板５、反射膜８、記録膜９の順に積層させることが望ましい。
【００２３】
反射膜７，８上に記録光案内用のトラックとなる案内溝（又は、誘導ピット＝プリピット）５１，５２を形成する方法として、透明基板２，５上に案内溝（又は、誘導ピット）５１，５２を形成し、その上に反射膜７，８を形成する方法が製造の簡便さ、価格から好適である。案内溝（又は、誘導ピット）５１，５２は案内溝（又は、誘導ピット）５１，５２の領域とその他の領域との記録再生光の経路差による干渉を用いて判別を行う場合、深さは透明基板２，５の屈折率をｎ、記録光の波長をλとしたときに、λ／８ｎの深さが最適である。
【００２４】
記録光誘導用の案内溝（又は、誘導ピット）５１，５２は、記録光が光記録媒体１上の記録領域に正確に走査するために誘導するとともに、記録光が光記録媒体１上を規定の線速にて走査するための同期信号を有することが一般的である。このとき、同期信号を発生させるため案内溝５１，５２を一定周期にて蛇行（ウォブル）させる方法が一般的である。ここに、本実施形態のように、記録条件などの情報を記録光の案内溝（又は、誘導ピット）５１，５２上に記録させるためには案内溝（又は、誘導ピット）５１，５２から発生する同期信号に周期変調、振幅変調、位相変調などを行うことが好ましい。光記録媒体１の場合、当該光記録媒体１の状態により反射光の強度変動が非常に大きいため、振幅変調よりも周期変調、位相変調が好適である。さらに、ＤＶＤ＋Ｒ／ＲＷ型のディスクのように、同期信号が１００ｋＨｚと高周期の場合は位相変調が好適である。
【００２５】
記録膜６，９の積層構造の作製方法としては、透明基板２，５上に記録膜６，９と反射膜７，８を積層させ、透明基板２，５ごと接着させる方法が好適である。その際の接着膜１０として、粘着シート、熱硬化型接着剤、紫外線硬化型接着剤、カチオン系紫外線硬化型接着剤が好適である。さらに、平滑性、均一性から粘着シートがとくに望ましい。
【００２６】
このような条件で作製された記録層３，４を複数有する多層構造の光記録媒体１において、各々の記録層３，４では、入射される記録光の光学的条件、熱的条件等の環境条件が異なるため、同一の記録条件で高品質な記録は行えない。この場合の「光学的条件」とは、記録光の入射面からみて奥側に配設されている記録層（第２記録層４）では手前に配設されている記録層（第１記録層３）を経ることによる強度変化、複数の透明基板２を経ることによる光路長の差と透明基板２の複屈折の影響による位相変動等である。また、「熱的条件」とは記録膜６，９近傍の反射膜７，８、透明基板２，５、接着膜１０などの順列や厚さの差から起因される記録層３，４への蓄熱、放熱条件である。
【００２７】
これらの環境条件の差を考慮した各記録層３，４に最適な記録条件を選択することで複数の記録層３，４への高品質な記録が行える。このときの記録条件は、記録光の強度、波長、位相、波面、発光波形などがあるが、単一の発光素子で簡便に調整できる強度条件と発光波形条件とを用いるのが最適である。記録条件の内容としては、記録光の強度や波形を数値化したもの、或いは、光記録媒体１に対する試し書きや、光記録媒体１の反射率変動などから間接的に記録条件を導出するための設定条件である。記録条件を導出する方法としては、記録光の強度条件を導出方法として、ＣＤ−Ｒ、ＤＶＤ±Ｒで用いられるβ法、ＣＤ−ＲＷ、ＤＶＤ±ＲＷで用いられるγ法が知られている。この場合、ターゲットとなるβやγ、さらに条件導出に用いられるおおよその記録強度などが記録条件に含まれる。また、反射率の変動から記録膜厚さや透明基板の透過率などを推測し、それに適した記録条件を導出する方法も可能である。これらの記録条件を導出する方法を用いることにより、光記録媒体１の個体差に対応することができ、さらに記録条件としてトラックとしての案内溝（又は誘導ピット）５１，５２上に記録する情報量が少なくすることができる。
【００２８】
さらに、複数の記録層３，４を持つ光記録媒体１の場合、各記録層３，４を続けて記録した場合と、全ての記録層３，４を連続した場合とでは、記録装置内の発熱の蓄積量が変わるため温度等の環境条件が大きく異なる。特に、半導体レーザーを光源とした場合、温度による波長変動が顕著である。そのため、光記録媒体１上の記録条件に温度や波長による記録条件の変動を設ける方法が望ましい。これにより、光記録媒体１のどの位置から記録を開始しても好適な記録が可能となる。
【００２９】
大容量の情報を記録する装置として、光ディスクが使用されているが、光ディスクは通常、光ディスクドライブ（記録再生装置）によって記録再生される。ここで、光ディスクとドライブ構成について、概略を説明する。ＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷの各ディスクは、書き込みが可能な（記録可能な）ＤＶＤ（Digital Versatile Disc）である。前者のＤＶＤ−ＲＡＭ・ＷＯ、ＤＶＤ−Ｒ、ＤＶＤ＋Ｒは、１回だけ書き込みが可能なＤＶＤである（なお、ＤＶＤ  Ｗｒｉｔｅ  Ｏｎｃｅともいわれている）。また、後者のＤＶＤ−ＲＡＭ、ＤＶＤ−ＲＷ、ＤＶＤ＋ＲＷは、複数回の書き込みが可能なＤＶＤである。これらのＤＶＤ＋ＲやＤＶＤ＋ＲＷ等のディスク、すなわち、光ディスクは、次の図２のようなドライブによって情報の記録再生が行われる。
【００３０】
図２は、光ディスクドライブについて、その要部構成の一例を示す機能ブロック図である。図において、符号１１は光ディスク、１２はスピンドルモータ、１３は光ピックアップ、１４はモータドライバ、１５はリードアンプ、１６はサーボ手段、１７はＤＶＤデコーダ、１８はＡＤＩＰデコーダ、１９はレーザーコントローラ、２０はＤＶＤエンコーダ、２１はＤＶＤ−ＲＯＭエンコーダ、２２はバッファＲＡＭ、２３はバッファマネージャ、２４はＤＶＤ−ＲＯＭデコーダ、２５はＡＴＡＰＩ／ＳＣＳＩインターフェース、２６はＤ／Ａコンバータ、２７はＲＯＭ、２８はＣＰＵ、２９はＲＡＭ、３０はシステムコントローラ、３１は温度測定装置を示し、ＬＢはレーザー光、Ａｕｄｉｏはオーディオ出力信号を示す。
【００３１】
この図２において、矢印はデータが主に流れる方向を示しており、また、図を簡略化するために、図２の各ブロックを制御するＣＰＵ２８には、太線のみを付けて各ブロックとの接続を省略している。ＲＯＭ２７には、ＣＰＵ２８にて解読可能なコードで記述された制御プログラムが格納されている。なお、光ディスクドライブの電源がオン状態になると、前記プログラムは図示しないメインメモリにロードされ、前記ＣＰＵ２８はそのプログラムに従って上記各部の動作を制御するとともに、制御に必要なデータ等を一時的にＲＡＭ２９に保存する。
【００３２】
光ディスクドライブの構成と動作は、次のとおりである。光ディスク１１は、スピンドルモータ１２によって回転駆動される。このスピンドルモータ１２は、モータドライバ１４とサーボ手段１６により、線速度または角速度が一定になるように制御される。この線速度又は角速度は、階段的に変更することが可能である。温度測定装置３１は光記録装置内の温度を常に監視し、その情報をシステムコントローラ３０に送っている。システムコントローラ３０は受け取った温度情報から、ＬＢの波長を計算するプログラムが格納されており、適宜レーザーコントローラ１９に適切なライトパワーになるよう信号を送ることができる。
【００３３】
光ピックアップ１３は、図示されない半導体レーザー、光学系、フォーカスアクチュエータ、トラックアクチュエータ、受光素子およびポジションセンサを内蔵しており、レーザー光ＬＢを光ディスク１１に照射する。また、この光ピックアップ１３は、シークモータによってスレッジ方向への移動が可能である。これらのフォーカスアクチュエータ、トラックアクチュエータ、シークモータは、受光素子とポジションセンサから得られる信号に基づいて、モータドライバ１４とサーボ手段１６により、レーザー光ＬＢのスポットが光ディスク１１上の目的の場所に位置するように制御される。
【００３４】
そして、リード時には、光ピックアップ１３によって得られた再生信号が、リードアンプ１５で増幅されて２値化された後、ＤＶＤデコーダ１７に入力される。入力された２値化データは、このＤＶＤデコーダ１７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００３５】
復調されたデータは、デインターリーブとエラー訂正の処理が行われる。その後、このデータは、ＤＶＤ−ＲＯＭデコーダ２４へ入力され、データの信頼性を高めるために、さらに、エラー訂正の処理が行われる。このように２回のエラー訂正の処理が行われたデータは、バッファマネージャ２３によって一旦バッファＲＡＭ２２に蓄えられ、セクタデータとして揃った状態で、ＡＴＡＰＩ／ＳＣＳＩインターフェース２５を介して、図示しないホストコンピュータへ一気に転送される。なお、音楽データの場合には、ＤＶＤデコーダ１７から出力されたデータが、Ｄ／Ａコンバータ２６へ入力され、アナログのオーディオ出力信号Ａｕｄｉｏとして取り出される。
【００３６】
また、ライト時には、ＡＴＡＰＩ／ＳＣＳＩインターフェース２５を通して、ホストコンピュータから送られてきたデータは、バッファマネージャ２３によって一旦バッファＲＡＭ２２に蓄えられる。その後ライト動作が開始されるが、この場合には、その前にレーザースポットを書き込み開始地点に位置させる必要がある。この地点は、ＤＶＤ＋ＲＷ／＋Ｒでは、予め光ディスク１１上にトラックの蛇行により刻まれているウォブル信号によって求められる。なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００３７】
図３は図２に示す光ディスクドライブを使用した情報処理装置の概略図である。情報処理装置は、光ディスクドライブ４１を制御するために、主制御装置４２、インターフェース４３、記録装置４４、入力装置４５、及び表示装置４６などを備えている。主制御装置４２は、ＣＰＵ（中央処理装置、マイクロコンピュータ）、メインメモリ（何れも図示せず）などを含んで構成され、ホストコンピュータの全体を制御する。インターフェース４３は、光ディスクドライブ４１との双方向の通信インターフェースであり、ＡＴＡＰＩ及びＳＣＳＩ等の標準インターフェースに準拠している。
【００３８】
インターフェース４３は前述した光ディスクドライブ４１のインターフェース２５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。記録装置（ＨＤＤ、ハードディスク）４４には、主制御装置４２のマイクロコンピュータで解読可能なコードで記述されたプログラムが格納されている。なお、情報処理装置の駆動電源がオン状態になると、上記プログラムは主制御装置４２のメインメモリにロードされる。
【００３９】
表示装置４６は、例えばＣＲＴ、液晶ディスプレイ（ＬＣＤ）、プラズマディスプレイパネル（ＰＤＰ）などの表示部（図示省略）を備え、主制御装置４２からの各種情報を表示する。入力装置４５は、例えばキーボード、マウス、ポインティングデバイスなどのうち少なくとも１つの入力媒体（図示省略）を備え、ユーザから入力された各種情報を主制御装置４２に通知する。なお、入力媒体からの情報はワイヤレス方式で入力されても良い。また、表示装置４６と入力装置４５とが一体化したものとして、例えばタッチパネル付きＣＲＴなどがある。また、情報処理装置はオペレーティングシステム（ＯＳ）を搭載している。そして、情報処理装置を構成する全てのデバイスはＯＳによって管理されているものとする。
【実施例】
【００４０】
［実施例１］
次に、本発明を実施した実施例１について説明する。ＤＶＤ+Ｒ２.４x  ＤＬディスクのＬ０内周外周を、（株）リコー製  モジュールで線速９.２２ｍ/ｓ ＣＬＶ（ＤＶＤ+Ｒ  ＤＬ再生速度２.４x）にて同記録パワーで記録した。モジュールの記録条件としては、ピックアップの発振波長は室温（２５℃）で６５９ｎｍ、ビーム径０.９μｍの半導体レーザーを用い、トラッキングしながらコード情報を入れたランダムデータを記録した。その記録情報を、波長６５０ｎｍ、ＮＡ：０.６の条件で線速３.８４ｍ/ｓ2（ＤＶＤ+Ｒ  ＤＬ再生速度１ｘ）で内周外周の反射率を再生評価した。再生評価装置としては、パルステック社のＤＤＵ１０００を使用した。ここで、再生評価装置として使用された機器が、請求項４の発明の記録条件情報収集手段に相当する。その評価結果を表１に示す。
【００４１】
【表１】
2007242206.tif 000003
【００４２】
表１からこのディスクのＬ１に届く光は内周に比べて外周は強度が強いことが予測できる。次に、このディスクのＬ１外周のＯＰＣを行い、最適記録パワーが２０ｍｗとなった。Ｌ０の記録結果から内周は外周よりも記録光の強度が弱いと予測されたので内周は２１．５ｍｗで記録し、外周は２０ｍｗで記録した。ここで、記録光の強度を内周と外周とで異なるように調整するのに使用された機器が、請求項４の発明の記録条件情報反映手段に相当する。その記録部のＰＩエラーを再生評価した。Ｌ１の記録はＬ０と同様、（株）リコー製  モジュールで線速９.２２ｍ/ｓＣＬＶ（ＤＶＤ+Ｒ  ＤＬ再生速度２.４x）で行い、再生評価についてもＬ０と同様パルステック社のＤＤＵ１０００で行った。その結果を表２に示す。
【００４３】
【表２】
2007242206.tif 000004
【００４４】
[比較例１]
次に、実施例１に対する比較例１について説明する。ＤＶＤ+Ｒ ２．４x  ＤＬディスクのＬ０を実施例１と同条件で記録し、同条件でＬ０の反射率を再生評価した。その結果を表３に示す。
【００４５】
【表３】
2007242206.tif 000005
【００４６】
次に、このディスクのＬ１外周のＯＰＣを行い、最適パワーが２０ｍｗとなった。Ｌ０の記録結果から内周は外周よりも記録光の強度が弱いと予測されたが内周外周ともに２０ｍｗで記録した。この点以外は実施例１と同様に記録/再生評価した。その結果を表４に示す。
【００４７】
【表４】
2007242206.tif 000006
【００４８】
[実施例２]
次に、本発明を実施した実施例２について説明する。ＤＶＤ+Ｒ ２．４x  ＤＬディスクのＬ０を全面にわたって、（株）リコー製  モジュールで線速９.２２ｍ/ｓ ＣＬＶ（ＤＶＤ+Ｒ  ＤＬ再生速度２.４x）にて同記録パワーで記録した。モジュールの記録条件としては、ピックアップの発振波長は室温（２５℃）で６５９ｎｍ、ビーム径０.９μｍの半導体レーザーを用い、トラッキングしながらコード情報を入れたランダムデータを記録した。全面記録直後の光記録装置の温度と記録光波長を調べたところ３５℃、６６５ｎｍであった。このことからこの光ディスクの記録層一面を記録すると始めと終わりで記録波長が６ｎｍ程度変化することが推測される。ここで、光記録装置の温度と記録光波長を測定した機器が、請求項４の発明の記録条件情報収集手段に相当する。
【００４９】
次に、記録モジュールを温度調節が可能な恒温室庫内に移動し、庫内温度を３５℃にしてから十分に時間を経過させた。後にＬ１の外周部のＯＰＣを行ったところ最適パワーは２２ｍｗとなった。ここでＬ１の記録層を全面記録したが、外周部は記録パワーが２２ｍｗ、内周部のパワーが２４ｍｗとなるように記録した。内周部の記録パワーを高くした理由はＬ０を記録した結果から一面記録したら記録部の終わりの方では波長が長くなることが予測され、内周部では最適記録パワーに対してパワー不足となることが予測されたからである。ここで、記録光のパワーを内周と外周とで異なるように調整するのに使用された機器が、請求項４の発明の記録条件情報反映手段に相当する。記録終了後、Ｌ１の記録情報のＰＩエラーを再生評価した。Ｌ１の記録はＬ０と同様、（株）リコー製  モジュールで線速９.２２ｍ/ｓ ＣＬＶ（ＤＶＤ+Ｒ  ＤＬ再生速度２.４x）で行い、再生評価についてもＬ０と同様パルステック社のＤＤＵ１０００で行った。その結果を表５に示す。
【００５０】
【表５】
2007242206.tif 000007
【００５１】
[比較例２]
次に、実施例２に対する比較例２について説明する。ＤＶＤ+Ｒ ２.４x  ＤＬディスクのＬ０を全面にわたって、（株）リコー製  モジュールで線速９.２２ｍ/ｓ ＣＬＶ（ＤＶＤ+Ｒ  ＤＬ再生速度２.４x）にて同記録パワーで記録した。モジュールの記録条件としては、ピックアップの発振波長は室温（２５℃）で６５９ｎｍ、ビーム径０.９μｍの半導体レーザーを用い、トラッキングしながらコード情報を入れたランダムデータを記録した。全面記録直後の光記録装置の温度と記録光波長を調べたところ３４℃、６６４ｎｍであった。このことからこの光ディスクの記録層一面を記録すると始めと終わりで記録波長が５ｎｍ程度変化することが推測される。
【００５２】
次に、記録モジュールを温度調節が可能な恒温室庫内に移動し、庫内温度を３５℃にしてから十分に時間を経過させた。後にＬ１の外周部のＯＰＣを行ったところ最適パワーは２２ｍｗとなった。ここでＬ１の記録層を全面にわたった記録パワーが２２ｍｗで記録した。記録終了後、Ｌ１の記録情報のＰＩエラーを再生評価した。Ｌ１の記録はＬ０と同様、（株）リコー製  モジュールで線速９.２２ｍ/ｓ ＣＬＶ（ＤＶＤ+Ｒ  ＤＬ再生速度２.４x）で行い、再生評価についてもＬ０と同様パルステック社のＤＤＵ１０００で行った。その結果を表６に示す。
【００５３】
【表６】
2007242206.tif 000008
【図面の簡単な説明】
【００５４】
【図１】本発明の実施形態で用いられた光記録媒体の断面構造図である。
【図２】本発明の実施形態で用いた光ディスクドライブの要部構成の一例を示す機能ブロック図である。
【図３】図２の光ディスクドライブを用いた情報処理装置の構成を示すブロック図である。
【符号の説明】
【００５５】
１  光記録媒体
２  透明基板
３  第１記録層
４  第２記録層
５  透明基板
６  記録膜
７，８  反射膜
９  記録膜
１０  接着膜
１１  光ディスク
１２  スピンドルモータ
１３  光ピックアップ
１４  モータドライバ
１５  リードアンプ
１６  サーボ手段
１７  ＤＶＤデコーダ
１８  ＡＤＩＰデコーダ
１９  レーザーコントローラ
２０  ＤＶＤエンコーダ
２１  ＤＶＤ−ＲＯＭエンコーダ
２２  バッファＲＡＭ
２３  バッファマネージャ
２４  ＤＶＤ−ＲＯＭデコーダ
２５  ＡＴＡＰＩ／ＳＣＳＩインターフェース
２６  Ｄ／Ａコンバータ
２７  ＲＯＭ
２８  ＣＰＵ
２９  ＲＡＭ
３０  システムコントローラ
３１  温度測定装置
５１，５２  案内溝（又は、誘導ピット＝プリピット）
Ａｕｄｉｏ  オーディオ出力信号
ＬＢ  レーザー光
【図１】
2007242206.tif 000009
【図２】
2007242206.tif 000010
【図３】
2007242206.tif 000011